(57)【特許請求の範囲】
【請求項１】
正逆両方向に、かつ高速及び低速での回転が可能な回転軸を有するモーターと、
前記回転軸の一端に第１のクラッチ手段を介して接続されモーターの回転によって振動を発生させる振動発生手段と、
前記回転軸の他端に第２のクラッチ手段を介して接続されモーターの回転によってアンテナを伸縮させるアンテナ伸縮手段とを備え、
前記第１のクラッチ手段は、モーターの回転を低速時には遮断して、高速時には振動発生手段に伝達するように構成される一方、
前記第２のクラッチ手段は、アンテナの伸縮が拘束されたときに空転するように構成されたことを特徴とする携帯通信機器。
【請求項２】
請求項１に記載の携帯通信機器において、
モーターと第２のクラッチ手段との間に、モーターの回転を低速時に伝達して高速時に遮断する第３のクラッチ手段が設けられたことを特徴とする携帯通信機器。
【請求項３】
正逆両方向に、かつ高速及び低速での回転が可能な回転軸を有するモーターと、
前記回転軸の一端に第１のクラッチ手段を介して接続されモーターの回転によって振動を発生させる振動発生手段と、
前記回転軸の他端に第３のクラッチ手段を介して接続されモーターの回転によってアンテナを伸縮させるアンテナ伸縮手段とを備え、
前記第１のクラッチ手段は、モーターの回転を低速時には遮断して、高速時には振動発生手段に伝達するように構成される一方、
前記第３のクラッチ手段は、モーターの回転を低速時には伝達して、高速時には遮断するように構成されるとともに、
前記第３のクラッチ手段とアンテナ伸縮手段との間に、モーターの回転速度が上がるまでの過程で生じる低速状態のときにその回転を吸収する緩衝手段が設けられたことを特徴とする携帯通信機器。
【請求項４】
請求項１、２又は３に記載の携帯通信機器において、
アンテナ伸縮手段は、伸縮用ギヤの回転によって伸縮するアンテナと、アンテナの一端に設けられた位置検出爪と、アンテナの伸長時及び収納時に前記位置検出爪の位置を検出する検出スイッチとを備え、検出スイッチで検出したアンテナの位置に応じてモーターの回転方向が制御されることを特徴とする携帯通信機器。
【発明の詳細な説明】
【０００１】
【発明の属する技術分野】
本発明は、着信時に振動を発生させて着信を報知する振動発生手段と、通信時に自動的にアンテナを伸ばし、通信終了時に自動的にアンテナを収納するアンテナ伸縮手段とを備えた携帯通信機器に関する。
【０００２】
【従来の技術】
従来より、振動発生手段とアンテナ伸縮手段とを有する携帯通信機器として、例えば特開平８−３１６７１２号公報に記載の発明が知られている。
【０００３】
この発明は、図１１に示すように、モーター９１と、このモーター９１の動力を受けて振動を発生させる振動発生部９２と、モーター９１の動力を受けてアンテナを伸縮させるアンテナ伸縮部９３と、これらモーター９１、振動発生部９２及びアンテナ伸縮部９３を収納するとともに壁部にガイド溝９４を形成した筐体９５と、モーター９１を支持するとともに筐体９５のガイド溝９４に沿って移動可能に取り付けられ、モーター９１を振動発生部９２及びアンテナ伸縮部９３に選択的に接続する動力切替部９６と、モーター９１をアンテナ伸縮部９３に接続させたときに動力切替部９６の移動にともなってＯＦＦ状態（通信可能状態）となるフックスイッチ９７と、を備えるものである。動力切替部９６を移動させて、モーター９１を振動発生部９２及びアンテナ伸縮部９３に選択的に接続させることにより、１個のモーター９１で振動の発生とアンテナの伸縮を行うことができるので、装置の構成の簡単化及び小型軽量化を図ることができるというものである。
【０００４】
【発明が解決しようとする課題】
しかしながら、前記従来の発明においては、動力切替部９６を移動させるためにはスライド式の操作部９８を手動でスライドさせなければならなかった。したがって、例えば夜間の就寝中でも着信がわかるように動力切替部９６を振動発生部９２側にセットしておくと、自動通信を行おうとするときにアンテナを自動的に伸ばすことができなかった。反対に、自動通信を行うことができるように動力切替部９６をアンテナ伸縮部９３側にセットしておくと、着信が報知されなかった。また、アンテナを予め伸ばしておくと、アンテナが何かに引っかかって折れたり、装置本体を落として破損するなどのおそれがあった。
【０００５】
本発明はこのような事情に鑑みてなされたもので、より高い操作性や通信精度を得るため、着信時の振動発生と、通信時のアンテナの伸長及び通信終了時のアンテナの収納を自動的に切り換えることのできる携帯通信機器を提供することを目的としている。
【０００６】
【課題を解決するための手段】
前記課題を解決するため、本発明の携帯通信機器は、正逆両方向に、かつ高速及び低速での回転が可能な回転軸を有するモーターと、前記回転軸の一端に第１のクラッチ手段を介して接続されモーターの回転によって振動を発生させる振動発生手段と、前記回転軸の他端に第２のクラッチ手段を介して接続されモーターの回転によってアンテナを伸縮させるアンテナ伸縮手段とを備え、前記第１のクラッチ手段は、モーターの回転を低速時には遮断して、高速時には振動発生手段に伝達するように構成される一方、前記第２のクラッチ手段は、アンテナの伸縮が拘束されたときに空転するように構成されたことを特徴とする。
【０００７】
この発明によれば、着信時にモーターを高速で回転させることにより、第１のクラッチ手段を介してモーターの回転を振動発生手段に伝達し、振動を発生させることができる。そして、このときのモーターの回転を、アンテナが収納されていればアンテナを収納する方向に、アンテナが伸長していればアンテナを伸長させる方向にすることにより、第２のクラッチ手段を空転させて、振動時にはアンテナを伸縮させないようにすることができる。そして、通信時及び通信終了時には、モーターの回転をそれぞれアンテナの伸長方向及び収納方向に自動的に切り替えて低速で回転させることにより、第１のクラッチ手段を遮断して振動を止め、アンテナを伸縮させることができる。
【０００８】
さらに、前記モーターと前記第２のクラッチ手段との間に、モーターの回転を低速時に伝達して高速時に遮断する第３のクラッチ手段を設けることにより、モーターが高速回転しているときにその回転がアンテナ側に伝わるのを遮断して、第２のクラッチ手段の空転による発熱や磨耗などを防ぐことができる。
【０００９】
また、本発明の携帯通信機器は、正逆両方向に、かつ高速及び低速での回転が可能な回転軸を有するモーターと、前記回転軸の一端に第１のクラッチ手段を介して接続されモーターの回転によって振動を発生させる振動発生手段と、前記回転軸の他端に第３のクラッチ手段を介して接続されモーターの回転によってアンテナを伸縮させるアンテナ伸縮手段とを備え、前記第１のクラッチ手段は、モーターの回転を低速時には遮断して、高速時には振動発生手段に伝達するように構成される一方、前記第３のクラッチ手段は、モーターの回転を低速時には伝達して、高速時には遮断するように構成されるとともに、前記第３のクラッチ手段とアンテナ伸縮手段との間に、モーターの回転速度が上がるまでの過程で生じる低速状態のときにその回転を吸収する緩衝手段が設けられたことを特徴とする。
【００１０】
この発明によれば、着信時にモーターが高速回転して振動を発生させる際、その初期段階でのモータの回転がアンテナ側に伝わるのを緩衝手段によって吸収することができる。また、アンテナの伸縮時にも、アンテナが伸びきったとき及び収納されきったときのモーターの回転を緩衝手段によって吸収することができる。したがって、モーターからアンテナ側に伝わる回転が安定し、アンテナの伸縮動作が円滑になる。
【００１１】
また、本発明の携帯通信機器は、前記アンテナ伸縮手段が、伸縮用ギヤの回転によって伸縮するアンテナと、アンテナの一端に設けられた位置検出爪と、アンテナの伸長時及び収納時に前記位置検出爪の位置を検出する検出スイッチとを備え、検出スイッチで検出したアンテナの位置に応じてモーターの回転方向が制御されることを特徴とする。
【００１２】
この発明によれば、着信時にアンテナを伸縮させずに振動を発生させる、通信開始の操作に連動してアンテナを伸長させる、通信終了の操作に連動してアンテナを収納する、あるいは就寝中、振動発生から一定時間を経過すると自動受信モードに切り替わってアンテナが伸縮する、など、使用状態に応じた振動発生とアンテナ伸縮との様々な連動が可能になる。
【００１３】
【発明の実施の形態】
以下、本発明の実施の形態について、図面を参照しつつ説明する。
【００１４】
図１は、本発明の請求項１に係る携帯通信機器の実施の形態（実施例１）を示す。
【００１５】
この携帯通信機器は、モーター１と、第１のクラッチ手段２を介してモーター１に接続された振動発生手段３と、第２のクラッチ手段４を介してモーター１に接続されたアンテナ伸縮手段５と、を備えている。
【００１６】
モーター１は、正逆両方向に回転可能で、回転速度を高速と低速とに切り替えることができるようになっている。
【００１７】
第１のクラッチ手段２は、例えば図２に示すような遠心クラッチ２０によって構成される。この遠心クラッチ２０は、モーター１の回転軸１１に連結された内輪２１に、回転時の遠心力によって外側に拡がる係合爪２２が取り付けられ、この係合爪２２が、内輪２１の外側に設けられた外輪２３に係合することにより、内輪２１の回転を外輪２３に伝達するものである。係合爪２２はバネ２４によって内側に付勢されているため、内輪２１の回転速度が遅ければ内輪２１が空転して回転が外輪２３に伝達されず、内輪２１が一定以上の速度で回転したときにその回転が外輪２３に伝達されるようになっている。
【００１８】
振動発生手段３は、前記遠心クラッチ２０の外輪２３に連結された回転軸３１に重り３２を偏心させて取り付けることにより、振動を発生させるように構成されている。
【００１９】
第２のクラッチ手段４は、例えば図３に示すようなかみ合いクラッチ４０ａによって構成される。このかみ合いクラッチ４０ａは、モーター１の回転軸１２に取り付けられた駆動側フランジ４１と、この駆動側フランジ４１のかみ合い面に当接する被動側フランジ４２とを備え、駆動側フランジ４１と被動側フランジ４２とが直接接触することにより回転を伝達する。駆動側フランジ４１は、回転軸１２の軸方向に摺動自在に保持されるとともに、回転軸１２に嵌装されたバネ４３により被動側に付勢されている。そのため、被動側の回転が強制的に拘束されると、駆動側フランジ４１がバネ４３を圧縮しながら図示左方に後退して空転するようになっている。
【００２０】
アンテナ伸縮手段５は、例えば図４に示すように、第２のクラッチ手段４に連結された伸縮用ギヤ５１と、この伸縮用ギヤ５１の回転によって伸縮するアンテナ５２と、アンテナ５２の一端に設けられた位置検出爪５３と、アンテナ５２の伸長時及び収納時にその位置検出爪５３の位置を検出する検出スイッチ５４，５５とを備えている。そして、これらの検出スイッチ５４，５５により、モーター１の回転方向が制御されるようになっている。
【００２１】
かかる構成によれば、着信時にモーター１を高速で回転させることにより、第１のクラッチ手段２を介してモーター１の回転を振動発生手段３に伝達し、振動を発生させることができる。振動によって着信を報知している段階で、通信を始めるまでアンテナ５２が伸縮しないようにするならば、検出スイッチ５４，５５でアンテナ５２の位置を検出し、アンテナ５２が収納されていればアンテナ５２を収納する方向に、アンテナ５２が伸長していればアンテナ５２を伸長させる方向に、モーター１を回転させる。すると、アンテナ５２は通信を始めるまでそのままの姿勢を維持し、その間、第２のクラッチ手段４は空転を続ける。
【００２２】
そして、通信を始めるときに、図示しない通信開始ボタン等を操作するなどしてモーター１の回転をアンテナ５２の伸長方向に切り替え、低速で回転させる。自ら発信するときも同様である。すると、アンテナ５２が収納されていればこれが伸長し、伸びきったところで動かなくなり、その状態で第２のクラッチ手段４が空転する。このように、アンテナ５２の伸長時にはモーター１が低速回転するので、第１のクラッチ手段２は空転して振動が発生しない。そして、アンテナ５２が伸びきったことを検出スイッチ５４で検出し、モーター１を止めるようにする。
【００２３】
また、通信が終了したときに、図示しない通信終了ボタン等を操作するなどしてモーター１の回転をアンテナ５２の収納方向に切り替え、低速で回転させる。すると、アンテナ５２は収容され、収容されきったところで動かなくなり、その状態で第２のクラッチ手段４が空転する。このように、アンテナ５２の収納時にもモーター１が低速回転するので、第１のクラッチ手段２は空転して振動は発生しない。そして、アンテナ５２が収納されきったことを検出スイッチ５５で検出し、モーター１を止める。
【００２４】
また、就寝中などにおいて自動受信を行う場合には、まずモーター１が高速回転して振動発生手段３が作動し、一定時間経過後に自動受信モードに切り替わり、モーター１がアンテナ５２の伸長方向に低速で回転するように設定する。そして、アンテナ５２が伸びきったところでモーター１がいったん止まり、通信終了後、アンテナ５２の収納方向に再び低速回転してアンテナ５２が収容され、アンテナ５２が収容されきったところで止まる、というように動作させることができる。
【００２５】
なお、この実施例１において、第２のクラッチ手段４を例えば図５に示すような構成に置き換えることも可能である。図示した構成例は、内外２筒からなる摩擦クラッチ４０ｂで、駆動側・被動側のうちいずれか一方（例えば駆動側）の回転軸に連結された内筒４４と、他方（例えば被動側）の回転軸に連結された外筒４５とを有し、内筒４４の外周面に板バネ４６が取り付けられ、この板バネ４６が外筒４５の内周面に接触している。駆動側（内筒４４）の回転はこの板バネ４６の摩擦力を介して被動側（外筒４５）に伝達されるが、被動側（外筒４５）の回転が強制的に拘束された場合には、板バネ４６が外筒４５の内周面をスリップし、内筒４４のみが空転することとなる。このような構成によっても、前記と同様のアンテナ伸縮動作が得られる。
【００２６】
次いで、本発明の請求項２に係る携帯通信機器の実施の形態（実施例２）について、図６〜図７を参照して説明する。
【００２７】
この携帯通信機器は、前記実施例１におけるモーター１と第２のクラッチ手段４との間に、さらに第３のクラッチ手段６を付加したものである。
【００２８】
この第３のクラッチ手段６は、モーター１の回転を低速時に伝達して高速時に遮断するもので、例えば図７に示すような遠心クラッチ６０によって構成される。この遠心クラッチ６０は、モーター１に連結された外輪６１と、第２のクラッチ手段４に連結された内輪６２とを有し、外輪６１には、バネ６３によって内側に付勢された係合爪６４が取り付けられ、この係合爪６４が内輪６２に係合するようになっている。そして、外輪６１の回転速度が遅ければ係合爪６４が内輪６２に係合して外輪６１の回転を内輪６２に伝達するが、外輪６１が一定以上の速度で回転するとその遠心力によって係合爪６４が外側に拡がり、内輪６２との係合が外れて伝達が遮断され、外輪６１のみが空転するようになっている。
【００２９】
かかる第３のクラッチ手段６を前記実施例１の構成に付加することにより、モーター１が高速回転しているときにその回転がアンテナ５２側に伝わるのを遮断することができる。したがって、モーター１の高速回転によって振動発生手段３が作動している間は第２のクラッチ手段４が回転しないようになり、第２のクラッチ手段４が空転することによる発熱や磨耗などを防いで機械的負担を軽減させることができる。
【００３０】
次いで、本発明の請求項３に係る携帯通信機器の実施の形態（実施例３）について、図８〜図９を参照しつつ説明する。
【００３１】
この携帯通信機器は、前記実施例２における第２のクラッチ手段４を、例えば図９に示すような緩衝手段７に置き換えたものである。
【００３２】
この緩衝手段７は、モーター１の回転速度が上がるまでの過程で生じる低速状態のときにその回転を吸収するもので、第３のクラッチ手段６に連結された回転軸７１とアンテナ伸縮手段５に連結された回転軸７２とが、バネやエラストマー等の弾性体からなる緩衝部材７３を介して接続されている。
【００３３】
かかる緩衝手段７を、第３のクラッチ手段６とアンテナ伸縮手段５との間に設けることにより、着信時にモーター１が高速回転して振動を発生させる際、その初期段階でのモータの回転がアンテナ５２側に伝わるのを吸収することができる。ただし、モーター１の回転が高速になれば、前述のように第３のクラッチ手段６がアンテナ５２側への回転の伝達を遮断するので、この緩衝手段７が吸収すべき回転量はわずかで済む。
【００３４】
また、アンテナ５２の伸縮時には、モーター１の低速回転がこれら第３のクラッチ手段６及び緩衝手段７を介してアンテナ５２側に伝達されるが、この場合も、アンテナ５２が伸びきったとき及び収納されきったときのモーター１の回転を緩衝手段７によって吸収することができる。アンテナ５２の伸縮状態が検出スイッチ５４，５５（図４参照）により検出されればモーター１が止まるので、この場合の吸収すべき回転量もわずかである。
【００３５】
このように、モーター１とアンテナ伸縮手段５との間に、モーター１の回転を低速時に伝達して高速時に遮断する第３のクラッチ手段６と、モーター１の回転速度が上がるまでの過程で生じる低速状態のときにその回転を吸収する緩衝手段７とを併せて設けることにより、モーター１からアンテナ５２側に伝わる回転が安定し、アンテナ５２の伸縮動作が円滑になる。
【００３６】
次いで、他の構成に係る携帯通信機器の実施の形態について、図１０を参照しつつ説明する。
【００３７】
この携帯通信機器は、モーター１の回転による駆動力を発生させる駆動部１０と、この駆動部１０に連結された切替ギヤ８１と、この切替ギヤ８１の位置を一定範囲内で往復移動させる切替手段８と、切替ギヤ８１を介して駆動力を得ることにより振動を発生させる振動発生手段３と、切替ギヤ８１を介して駆動力を得ることによりアンテナ５２を伸縮させるアンテナ伸縮手段５と、を備えている。
【００３８】
駆動部１０のモーター１の回転軸１３には、２個の駆動ギヤ１４，１５が取り付けられている。この駆動ギヤ１４，１５は同径、同歯のものである。なお、この駆動ギヤ１４，１５は、図示の２個分を一体化した長寸の形状のものとしても差し支えない。
【００３９】
切替ギヤ８１は、これら２個の駆動ギヤ１４，１５のいずれにもかみ合う径及び歯を有し、一定範囲内で軸方向に往復移動可能に保持されている。
【００４０】
この切替ギヤ８１の位置を移動させる切替手段８は、図示しない操作ボタン等に連動するソレノイド８２であり、携帯通信機器の使用状態に応じて切替ギヤ８１の位置を自動的に切り替えるように設定されている。
【００４１】
振動発生手段３は、切替ギヤ８１が例えば図示左側の位置にあるときにこれにかみ合う被動ギヤ３３を有し、この被動ギヤ３３が切替ギヤ８１とかみ合ったときにモーター１の駆動力を得て振動を発生させるようになっている。
【００４２】
一方、アンテナ伸縮手段５は、切替ギヤ８１が例えば図示右側の位置にあるときにこれにかみ合う被動ギヤ５６を有し、この被動ギヤ５６が切替ギヤ８１とかみ合ったときにモーター１の駆動力を得て、伸縮用ギヤ５１が回転し、アンテナ５２を伸縮させるようになっている。
【００４３】
この携帯通信機器は、使用状態に応じて以下のように動作する。
着信時には、ソレノイド８２が切替ギヤ８１を振動発生手段３側に移動させる。すると、モーター１の回転が切替ギヤ８１を介して振動発生手段３に伝達され、振動を発生させ、着信を報知する。
【００４４】
そして、通信開始ボタン等を操作するなどすれば、ソレノイド８２が切替ギヤ８１をアンテナ５２側に移動させる。すると、モーター１の回転が切替ギヤ８１を介してアンテナ伸縮手段５に伝達され、アンテナ５２が収納されていればこれが伸長する。アンテナ５２が伸びきると、その姿勢を検出スイッチ５４（図４参照）により検出してモーター１の回転を止める。また、通信が終了したときに、通信終了ボタン等を操作するなどすれば、モーター１が逆回転してアンテナ５２を収納する。
【００４５】
以上の各実施例において説明したように、本発明によれば、１個のモーター１に連動する合理的で簡潔な構成によって、着信時にはアンテナ５２を動かさずに振動を発生させ、通信時には振動を止めてアンテナ５２を自動的に伸長し、通信終了時には振動を発生させずにアンテナ５２を自動的に収納することができる。したがって、夜間に自動的にデータを受信するような場合でも、自動的にアンテナ５２を伸縮させることができ、感度よく通信を行うことができる。
【００４６】
また、使用状態に応じてアンテナ５２の伸縮を自動的に行うことができるのでアンテナ５２の破損を防止することもできる。特に、実施例１及び実施例２における第２のクラッチ手段４や、実施例３における緩衝手段７のように、アンテナ５２の伸縮状態が拘束されたときに空転したり駆動力を吸収したりできる手段を設けることにより、アンテナ５２が伸縮途中で何かに引っかかったような場合でも、アンテナ５２に過剰な力が加わるのを防ぐことができる。
【００４７】
また、モーター１が１個なので、構成部品の点数を少なくして装置構造の簡単化及び小型軽量化を図ることもできる。
【００４８】
なお、本発明において、モーター１とは回転駆動力を発生させる駆動装置の総称であり、その詳細な機構や仕様は特に限定しない。また、振動発生手段３、アンテナ伸縮手段５、第１乃至第３のクラッチ手段２，４，６、緩衝手段７、及び切替手段８等についても、前記各実施例はその構成の一例を示すものであり、これらを類似の機能を有する他の機構や部品によって構成してもよい。また、それらを複合的に組み合わせて一体の装置とすることも可能である。モーターや各手段の配置については、携帯通信機器の筐体内に無理なく収容しうる限り特に限定されない。
【００４９】
【発明の効果】
本発明によれば、１個のモーターに連動する合理的で簡潔な構成によって、着信時にはアンテナを動かさずに振動を発生させ、通信時には振動を止めてアンテナを自動的に伸長し、通信終了時には振動を発生させずにアンテナを自動的に収納することができる。
【００５０】
また、使用状態に応じてアンテナの伸縮を自動的に行うことができるのでアンテナの破損を防止することもできる。
【００５１】
これにより、良好な操作性や通信精度を得ることができる。
【図面の簡単な説明】
【図１】本発明の請求項１に係る携帯通信機器の実施の形態（実施例１）を示す概略構成図である。
【図２】前記実施例１における第１のクラッチ手段の概略構成図である。
【図３】前記実施例１における第２のクラッチ手段の概略構成図である。
【図４】前記実施例１におけるアンテナ伸縮手段の概略構成図である。
【図５】前記実施例１における第２のクラッチ手段の他の構成例を示す概略構成図である。
【図６】本発明の請求項２に係る携帯通信機器の実施の形態（実施例２）を示す概略構成図である。
【図７】前記実施例２における第３のクラッチ手段の概略構成図である。
【図８】本発明の請求項３に係る携帯通信機器の実施の形態（実施例３）を示す概略構成図である。
【図９】前記実施例３における緩衝手段の概略構成図である。
【図１０】  他の構成に係る携帯通信機器の実施の形態を示す概略構成図である。
【図１１】従来の携帯通信機器の概略構成図である。
【符号の説明】
１  モーター
１０  駆動部
２  第１のクラッチ手段
３  振動発生手段
４  第２のクラッチ手段
５  アンテナ伸縮手段
５２  アンテナ
６  第３のクラッチ手段
７  緩衝手段
８  切替手段
８１  切替ギヤ
【図１】
0004104795.tif 000002
【図２】
0004104795.tif 000003
【図３】
0004104795.tif 000004
【図４】
0004104795.tif 000005
【図５】
0004104795.tif 000006
【図６】
0004104795.tif 000007
【図７】
0004104795.tif 000008
【図８】
0004104795.tif 000009
【図９】
0004104795.tif 000010
【図１０】
0004104795.tif 000011
【図１１】
0004104795.tif 000012